【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
安全注射器システムであって、
ａ．注射器本体に移動可能に結合されるプランジャであって、前記注射器本体は、近位端および遠位端を有する、プランジャと、
ｂ．前記注射器本体の遠位端に取り外し可能に結合され、ニードルが結合され得るニードル管腔を画定する、ルアーアダプタであって、別のデバイスのルアー継手に取り外し可能に結合されるように構成される遠位表面を備える、ルアーアダプタと、
を備え、
前記ニードルは、近位端および遠位端を有し、前記遠位端は、注射標的構造の中に直接注射のために構成され、前記近位端は、前記プランジャに結合されるように構成されることにより、挿入の後の抜去に応じて、前記ニードルは、前記注射器本体の中に引っ張られ、かつそれによって含有される、システム。
【請求項２】
前記注射器本体は、ガラス構成を備える、請求項１に記載のシステム。
【請求項３】
前記注射器本体は、ポリマー構成を備える、請求項１に記載のシステム。
【請求項４】
前記遠位表面は、ルアー噛合幾何学形状を備える、請求項１に記載のシステム。
【請求項５】
他のデバイスは、前記他のデバイスと前記遠位表面との間に相対的回転運動を誘発することによって、前記遠位表面に取り外し可能に結合されてもよい、請求項４に記載のシステム。
【請求項６】
前記ニードルの遠位端は、皮下ニードル先端を備える、請求項１に記載のシステム。
【請求項７】
前記ニードルの近位端は、前記プランジャに圧縮可能に結合されるように構成される、請求項１に記載のシステム。
【請求項８】
定位置にあるとき、前記ルアーアダプタと前記注射器本体との間に結合部を保定するように構成される、外側結合ジャケットをさらに備える、請求項１に記載のシステム。
【請求項９】
前記外側結合ジャケットは、前記ルアーアダプタと前記注射器本体との両方の部分を横断して取り外し可能に結合される、請求項８に記載のシステム。
【請求項１０】
前記外側結合ジャケットは、熱収縮チューブ部材を備える、請求項９に記載のシステム。
【手続補正２】
【補正対象書類名】明細書
【補正対象項目名】０００６
【補正方法】変更
【補正の内容】
【０００６】
別の実施形態は、安全注射器システムを対象とし、注射器本体に移動可能に結合されるプランジャであって、注射器本体近位端および遠位端を有する、プランジャと、注射器本体の遠位端に取り外し可能に結合され、ニードルが結合され得るニードル管腔を画定する、ルアーアダプタであって、別のデバイスのルアー継手に取り外し可能に結合されるように構成される遠位表面を備える、ルアーアダプタとを備え、ニードルは、近位端および遠位端を有し、遠位端は、注射標的構造の中に直接注射のために構成され、近位端は、挿入の後の抜去に応じて、プランジャに結合されるように構成され、ニードルは、注射器本体の中に引っ張られ、かつそれによって含有される。注射器本体は、ガラス構成を備えてもよい。別の実施形態では、注射器本体は、ポリマー構成を備えてもよい。遠位表面は、ルアー噛合幾何学形状を備えてもよい。他のデバイスは、他のデバイスと遠位表面との間に相対的回転運動を誘発することによって、遠位表面に取り外し可能に結合されてもよい。ニードルの遠位端は、皮下ニードル先端を備えてもよい。ニードルの近位端は、プランジャに圧縮可能に結合されるように構成されてもよい。本システムはさらに、定位置にあるとき、ルアーアダプタと注射器本体との間に結合部を保定するように構成される、外側結合ジャケットを備えてもよい。外側結合ジャケットは、ルアーアダプタと注射器本体との両方の部分を横断して取り外し可能に結合されてもよい。外側結合ジャケットは、熱収縮チューブ部材を備えてもよい。
本発明は、例えば、以下を提供する：
（項目１）
注射を行う方法であって、
ａ．注入のために流体を含有し得る注射器本体に移動可能に結合される注射器プランジャのアセンブリを提供するステップであって、前記注射器本体は、ルアーアダプタに取り外し可能に結合される遠位端を有し、前記ルアーアダプタは、ニードルが結合され得るニードル管腔を画定し、前記ルアーアダプタは、別のデバイスのルアー継手に取り外し可能に結合されるように構成される遠位表面を含む、ステップと、
ｂ．ニードル注射またはルアー結合部を介した注入を決定するステップと、
ｃ．前記ルアーアダプタを取り外し、さらに、前記ニードル注射のためのニードルを暴露することによって、または前記ルアーアダプタを定位置に残し、これを他のデバイスのルアー継手に結合することによって、前記ニードル注射またはルアー結合部のためのアセンブリを選択可能に構成するステップと、
を含む、方法。
（項目２）
流体を注入標的の中に注射するために、前記注射器本体に対して前記プランジャを挿入するステップをさらに含む、項目１に記載の方法。
（項目３）
ルアー結合部が選択され、前記方法は、前記ルアーアダプタの遠位表面を前記他のデバイスのルアー継手に回転可能に結合するステップをさらに含む、項目２に記載の方法。
（項目４）
ニードル注射が選択され、前記方法は、前記ニードルの一部を患者の中に直接挿入するステップをさらに含む、項目２に記載の方法。
（項目５）
前記注射器本体に対する前記プランジャの完全挿入に応じて、前記ニードルの近位端をプランジャ遠位端に結合するステップをさらに含む、項目１に記載の方法。
（項目６）
前記注射器本体に対する前記ニードルの再挿入を回避するために、前記注射器本体に対する完全後退に応じて、前記ニードルを再配向するステップをさらに含む、項目５に記載の方法。
（項目７）
完全後退は、前記注射器本体に対して前記プランジャを引っ張ることによって到達される、項目６に記載の方法。
（項目８）
前記完全後退の状態は、前記本体に対する前記プランジャの挿入に応じて、前記注射器本体内に展開された真空負荷を介して補助される、項目７に記載の方法。
（項目９）
前記ルアーアダプタを取り外すステップは、前記ルアーアダプタと前記注射器本体との間に結合部を保定するように構成される外側結合ジャケットを取り外すステップを含む、項目１に記載の方法。
（項目１０）
前記外側結合ジャケットを取り外すステップは、容易な取り外しのための荷重に応じて、引き離すために事前に付勢される、前記外側結合ジャケットの一部を手動で操作するステップを含む、項目９に記載の方法。
（項目１１）
安全注射器システムであって、
ａ．注射器本体に移動可能に結合されるプランジャであって、前記注射器本体は、近位端および遠位端を有する、プランジャと、
ｂ．前記注射器本体の遠位端に取り外し可能に結合され、ニードルが結合され得るニードル管腔を画定する、ルアーアダプタであって、別のデバイスのルアー継手に取り外し可能に結合されるように構成される遠位表面を備える、ルアーアダプタと、
を備え、
前記ニードルは、近位端および遠位端を有し、前記遠位端は、注射標的構造の中に直接注射のために構成され、前記近位端は、挿入の後の抜去に応じて、前記プランジャに結合されるように構成され、前記ニードルは、前記注射器本体の中に引っ張られ、かつそれによって含有される、システム。
（項目１２）
前記注射器本体は、ガラス構成を備える、項目１１に記載のシステム。
（項目１３）
前記注射器本体は、ポリマー構成を備える、項目１１に記載のシステム。
（項目１４）
前記遠位表面は、ルアー噛合幾何学形状を備える、項目１１に記載のシステム。
（項目１５）
他のデバイスは、前記他のデバイスと前記遠位表面との間に相対的回転運動を誘発することによって、前記遠位表面に取り外し可能に結合されてもよい、項目１４に記載のシステム。
（項目１６）
前記ニードルの遠位端は、皮下ニードル先端を備える、項目１１に記載のシステム。
（項目１７）
前記ニードルの近位端は、前記プランジャに圧縮可能に結合されるように構成される、項目１１に記載のシステム。
（項目１８）
定位置にあるとき、前記ルアーアダプタと前記注射器本体との間に結合部を保定するように構成される、外側結合ジャケットをさらに備える、項目１１に記載のシステム。
（項目１９）
前記外側結合ジャケットは、前記ルアーアダプタと前記注射器本体との両方の部分を横断して取り外し可能に結合される、項目１８に記載のシステム。
（項目２０）
前記外側結合ジャケットは、熱収縮チューブ部材を備える、項目１９に記載のシステム。